(57)【特許請求の範囲】
【請求項１】
各エリアに配置されネットワークで相互に接続された複数のオーディオ機器を、前記ネットワークを介して制御する制御端末装置であって、
前記複数のオーディオ機器に対してコマンドメッセージを送信する通信部と、
操作画面を表示する表示部と、
前記複数のオーディオ機器のいずれかを選択するための機器選択画面を前記表示部に表示させる表示制御部と、
を備え、
前記表示制御部は、
前記機器選択画面における前記各オーディオ機器を選択する選択操作部として、各オーディオ機器が設置されているエリアを表すエリア画像を表示し、
該エリア画像のいずれかが選択操作された場合、前記機器選択画面に代えて、該選択されたエリアに配置されたオーディオ機器で再生可能なオーディオソースを選択するための画面であって、前記再生可能な１または複数のオーディオソースの各々に対応するソース選択操作部、および、画面の背景としてこのエリアのエリア画像を含むソース選択画面を表示する
制御端末装置。
【請求項２】
前記エリア画像の候補となる複数の候補画像を記憶する記憶部を、さらに備え、
前記表示制御部は、前記候補画像のなかから前記各エリアのエリア画像を選択する画像選択画面を表示し、
前記表示制御部は、前記機器選択画面において、各エリアについて選択された候補画像を当該エリアのエリア画像として前記表示部に表示させる請求項１に記載の制御端末装置。
【請求項３】
前記表示制御部は、前記ソース選択画面でオーディオソースが選択されるマスタ機器、および、該マスタ機器で選択されたオーディオソースの音声を前記ネットワーク経由で受信して同期再生するスレーブ機器、を選択して前記オーディオソース再生のためのグループを設定するグループ設定画面を、前記表示部にさらに表示させ、
さらに前記表示制御部は、前記グループが設定された場合、前記機器選択画面における前記マスタ機器に対応する前記エリア画像の表示態様、または、該マスタ機器の選択操作部内に表示される内容を変更する請求項１または請求項２に記載の制御端末装置。
【請求項４】
請求項１乃至請求項３のいずれかに記載の制御端末装置と、各エリアに配置された複数のオーディオ機器と、がネットワークで相互に接続されたオーディオシステム。
【請求項５】
各エリアに配置されネットワークで相互に接続された複数のオーディオ機器を、前記ネットワークを介して制御する制御端末装置のコンピュータを、
前記複数のオーディオ機器に対してコマンドメッセージを送信する通信手段、および、
前記複数のオーディオ機器のいずれかを選択するための機器選択画面を表示部に表示させる表示制御手段、
として機能させ、
前記表示制御手段は、
前記機器選択画面における前記各オーディオ機器を選択する選択操作部として、各オーディオ機器が設置されているエリアを表すエリア画像を表示し、
該エリア画像のいずれかが選択操作された場合、前記機器選択画面に代えて、該選択されたエリアに配置されたオーディオ機器で再生可能なオーディオソースを選択するための画面であって、前記再生可能な１または複数のオーディオソースの各々に対応するソース選択操作部、および、画面の背景としてこのエリアのエリア画像を含むソース選択画面を表示する
オーディオシステム制御プログラム。
【発明の詳細な説明】
【技術分野】
【０００１】
この発明は、各エリアに配置された複数のオーディオ機器および該オーディオ機器を制御する制御端末装置がネットワークで接続された制御端末装置、オーディオシステムおよびオーディオシステム制御プログラムに関する。
【背景技術】
【０００２】
リビング、寝室などの各部屋（エリア）に配置されたオーディオ機器などの複数の再生デバイスをＬＡＮなどのネットワークに接続し、制御端末装置において各オーディオ機器のコンテンツの再生などを制御するシステムがある（たとえば、特許文献１参照）。ユーザは、制御端末装置上で、再生などを行いたいオーディオ機器を選択し、選択したオーディオ機器でサービス可能なソースの再生などを実行することができる。
【先行技術文献】
【特許文献】
【０００３】
【特許文献１】特開２０１３−２５１５９４号公報
【発明の開示】
【発明が解決しようとする課題】
【０００４】
上述のようなユーザがオーディオ機器を選択する構成では、いずれの場所に配置されたオーディオ機器であるのかを特定するのは難しく、再生したい場所に配置されたオーディオ機器を特定しにくい場合もある。ユーザとしては、オーディオ機器の配置場所からオーディオ機器を選択したいとの要望もある。
【０００５】
この発明は、オーディオ機器が配置されたエリア単位で容易にオーディオ機器を選択できる制御端末装置、オーディオシステムおよびオーディオシステム制御プログラムを提供することを目的とする。
【課題を解決するための手段】
【０００６】
本発明の第１の側面によって提供される制御端末装置は、各エリアに配置されネットワークで相互に接続された複数のオーディオ機器を、ネットワークを介して制御する。制御端末装置は、複数のオーディオ機器に対してコマンドメッセージを送信する通信部と、操作画面を表示する表示部と、複数のオーディオ機器のいずれかを選択するための機器選択画面を前記表示部に表示させる表示制御部と、を備える。表示制御部は、機器選択画面における各オーディオ機器を選択する選択操作部として、各オーディオ機器が設置されているエリアを表すエリア画像を表示し、エリア画像のいずれかが選択操作された場合、機器選択画面に代えて、選択されたエリアに配置されたオーディオ機器で再生可能なオーディオソースを選択するためのソース選択画面を表示する。なお、ソース選択画面は、再生可能な１または複数のオーディオソースの各々に対応するソース選択操作部、および、画面の背景としてこのエリアのエリア画像を含んでいる。
【０００７】
上記発明において、エリア画像の候補となる複数の候補画像を記憶する記憶部をさらに備えてもよい。表示制御部は、候補画像のなかから各エリアのエリア画像を選択する画像選択画面を表示してもよい。表示制御部は、機器選択画面において、各エリアについて選択された候補画像をこのエリアのエリア画像として表示部に表示させてもよい。
【０００９】
上記発明において、表示制御部は、ソース選択画面でオーディオソースが選択されるマスタ機器、および、このマスタ機器で選択されたオーディオソースの音声をネットワーク経由で受信して同期再生するスレーブ機器を選択してオーディオソース再生のためのグループを設定するグループ設定画面を表示部に表示させてもよい。さらに表示制御部は、グループが設定された場合、機器選択画面におけるマスタ機器に対応するエリア画像の表示態様、または、このマスタ機器の選択操作部内に表示される内容を変更してもよい。
【００１０】
本発明の第２の側面によって提供されるオーディオシステムは、上記制御端末装置と、各エリアに配置された複数のオーディオ機器と、がネットワークで相互に接続されたことを特徴とする。
【００１１】
本発明の第３の側面によって提供されるオーディオシステム制御プログラムは、各エリアに配置されネットワークで相互に接続された複数のオーディオ機器をネットワークを介して制御する制御端末装置のコンピュータを、複数のオーディオ機器に対してコマンドメッセージを送信する通信手段、および、複数のオーディオ機器のいずれかを選択するための機器選択画面を表示部に表示させる表示制御手段として機能させる。表示制御手段は、機器選択画面における各オーディオ機器を選択する選択操作部として、各オーディオ機器が設置されているエリアを表すエリア画像を表示し、エリア画像のいずれかが選択操作された場合、機器選択画面に代えて、選択されたエリアに配置されたオーディオ機器で再生可能なオーディオソースを選択するためのソース選択画面を表示する。なお、ソース選択画面は、再生可能な１または複数のオーディオソースの各々に対応するソース選択操作部、および、画面の背景としてこのエリアのエリア画像を含んでいる。
【発明の効果】
【００１２】
この発明によれば、オーディオ機器が配置されたエリア単位で容易に所望する操作対象のオーディオ機器を選択できる。
【図面の簡単な説明】
【００１３】
【図１】この発明が適用されるオーディオシステム１００の構成を示す図
【図２】携帯電話機のブロック図
【図３】オーディオ機器のブロック図
【図４】１台目のオーディオ機器のイニシャル接続の手順を示す図
【図５】２台目のオーディオ機器のイニシャル接続の手順を示す図
【図６】コントローラの制御部のセットアップ処理を示すフローチャート
【図７】オーディオ機器の制御部の処理を示すフローチャート
【図８】オーディオシステムテーブルの一例を示す図
【図９】ルームテーブルの一例を示す図
【図１０Ａ】携帯電話機の操作画面の一例を示す図
【図１０Ｂ】携帯電話機の操作画面の一例を示す図
【図１０Ｃ】携帯電話機の操作画面の一例を示す図
【図１０Ｄ】携帯電話機の操作画面の一例を示す図
【図１１Ａ】携帯電話機の操作画面におけるグループ設定画面の一例を示す図
【図１１Ｂ】携帯電話機の操作画面におけるグループ設定画面の一例を示す図
【図１２Ａ】携帯電話機の操作画面におけるルーム選択画面及びソース選択画面の一例を示す図
【図１２Ｂ】携帯電話機の操作画面におけるルーム選択画面及びソース選択画面の一例を示す図
【図１３】携帯電話機の操作画面におけるルーム名称および背景画像の設定画面の一例を示す図
【図１４】コントローラの制御部の画面移行処理を示すフローチャート
【図１５】コントローラの制御部のグループ設定処理を示すフローチャート
【図１６】コントローラの制御部のルーム設定処理を示すフローチャート
【発明を実施するための形態】
【００１４】
図１は、本発明が適用されるオーディオシステム１００の構成を示す図である。オーディオシステム１００は、ルータ２（Ｗｉ−Ｆｉルータ）を含むネットワーク３を介して互いに接続された携帯電話機（コントローラ）１、配信サーバ５および複数のオーディオ機器１１〜１４を有している。ネットワーク３は、有線ＬＡＮおよび無線ＬＡＮを含んでいる。携帯電話機１はオーディオシステム制御プログラム７０（図２参照）が起動されることによりオーディオシステム１００のコントローラ１として機能する。
【００１５】
配信サーバ５は、インターネット４を経由で有線ＬＡＮでネットワーク３に接続され、オーディオ機器１１〜１４に楽曲データを配信する。オーディオ機器１１〜１３は無線ＬＡＮでネットワーク３に接続され、オーディオ機器１４は有線ＬＡＮでネットワーク３に接続されている。有線ＬＡＮ３は、たとえばイーサネット（登録商標）（Ｅｔｈｅｒｎｅｔ（登録商標）：ＩＥＥＥ８０２．３）が用いられればよく、無線ＬＡＮ５は、Ｗｉ−Ｆｉ（ＩＥＥＥ８０２．１１ｇ）が用いられればよい。
【００１６】
なお、オーディオ機器１１〜１４は、無線ＬＡＮ，有線ＬＡＮのどちらにも接続可能であり、自身がネットワーク３に接続されたとき、他のオーディオ機器からの無線ＬＡＮ接続を受け付けてそのオーディオ機器をネットワーク３に接続するアクセスポイントとしても機能する。すなわち、各オーディオ機器１１〜１４は、無線ＬＡＮの通信を行う高周波通信部（ＲＦモジュール）を２つ搭載している。また、高周波通信部を１台搭載し、時分割で２つの無線ＬＡＮ通信を行ってもよい。
【００１７】
図１において、オーディオ機器１１は、無線ＬＡＮでルータ２に直接接続されている。オーディオ機器１２およびオーディオ機器１３は、アクセスポイントであるオーディオ機器１１を介してルータ２に接続されている。また、オーディオ機器１４は、有線ＬＡＮ経由でルータ２に接続されている。なお、オーディオ機器１２，１３，１４もアクセスポイントとして機能している。各アクセスポイント１１〜１４は、オーディオシステムのオーディオ機器がアクセスポイントを兼ねているものでシステムアクセスポイントとも呼ばれ、通常は（後述のイニシャル接続時以外は）ステルスモードで動作しており、他の機器にその存在を知られにくいようになっている。
【００１８】
また、各オーディオ機器１１〜１４は、図１に示すように、同一の建物内におけるオフィス、ダイニングルーム、ベッドルーム、リビングルームの各ルーム（エリア）に配置されている。
【００１９】
オーディオシステム１００は、オーディオ機器１１〜１４のうちグループ設定されたオーディオ機器において同一コンテンツの同期再生が可能である。コンテンツは、例えば、楽曲である。コンテンツは、各オーディオ機器１１〜１４が有するＣＤ、ハードディスクなどに記憶されている楽曲データがソースとなる。あるいは、上述したように配信サーバ５に記憶されている楽曲データがソースとなる。楽曲データのファイル形式は、例えば、ＭＰ３、ＷＡＶ、ＳｏｕｎｄＶＱ（登録商標）、ＷＭＡ（登録商標）、ＡＡＣなどである。
【００２０】
上述したように、携帯電話機１は、アプリケーションプログラムであるオーディオシステム制御プログラム７０が起動されることにより、オーディオシステム１００のコントローラ１として機能し、ネットワーク３を経由してオーディオシステム１００（各オーディオ機器１１〜１４）の再生ソースや音量などを制御する。また、コントローラ１として、同期再生を行うグループ設定も行う。
【００２１】
各オーディオ機器１１〜１４は、ネットワーク３を介して相互にオーディオ信号の送受信が可能である。オーディオ機器１１〜１４を無線ＬＡＮでネットワーク３に接続するために、ユーザは、接続先のＳＳＩＤやパスワードなどの設定が必要であるが、このオーディオシステム１００では、以下に説明するようなコントローラ１およびオーディオ機器１１〜１４の構成および機能により、ユーザは簡単な操作でオーディオ機器をネットワーク３に接続することができる。
【００２２】
次に、図２のブロック図を参照して、携帯電話機１の構成を説明する。携帯電話機１は、いわゆるスマートフォンと言われる多機能電話機である。携帯電話機１は、携帯通信網である３Ｇ／４Ｇ通信機能、無線ＬＡＮ（Ｗｉ−Ｆｉ）通信機能、および、Ｂｌｕｅｔｏｏｔｈ（登録商標）通信機能を有している。携帯電話機１は、アプリケーションプログラムであるオーディオシステム制御プログラム７０を起動することにより、コントローラ１として機能し、ネットワーク３経由でオーディオシステム１００の各オーディオ機器１１〜１４と通信し、ユーザの操作に応じたコマンドメッセージを各オーディオ機器１１〜１４に送信してオーディオシステム１００を制御する。
【００２３】
携帯電話機１は、バス２６上に、制御部２０、操作部３０、メディアインタフェース３１、Ｗｉ−Ｆｉ通信回路３２、３Ｇ／４Ｇ通信回路３３、および、Ｂｌｕｅｔｏｏｔｈ（登録商標）通信部３４を有している。制御部２０は、ＣＰＵ２１、ＲＯＭ（フラッシュメモリ）２２、ＲＡＭ２３、画像プロセッサ２４および音声プロセッサ２５を含んでいる。画像プロセッサ２４には、ビデオＲＡＭ（ＶＲＡＭ）４０が接続され、ＶＲＡＭ４０には表示部４１が接続されている。表示部４１は液晶のディスプレイを含んでいる。ディスプレイには、待ち受け画面や電話番号などが表示される。また、コントローラ１として機能する場合は、各オーディオ機器１１〜１４を制御するための画面が表示される。音声プロセッサ２５には、Ｄ／Ａコンバータを含むアンプ４２が接続され、アンプ４２にはスピーカ１６が接続されている。
【００２４】
画像プロセッサ２４は、待ち受け画面や電話番号等などの種々の映像を生成するＧＰＵ（Ｇｒａｐｈｉｃｓ  Ｐｒｏｃｅｓｓｉｎｇ  Ｕｎｉｔ，グラフィックス・プロセッシング・ユニット）を備えている。画像プロセッサ２４は、オーディオシステム制御プログラム７０が起動された場合には、ＣＰＵ２１の指示に従って図１０〜図１３に示すようなオーディオコントローラの画像を生成し、これをＶＲＡＭ４０上に展開する。ＶＲＡＭ４０上に展開された画像は表示部４１に表示される。
【００２５】
音声プロセッサ２５は、通話音声をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ２５は、デコード／生成した音声をアンプ４２に出力する。アンプ４２は、この音声信号を増幅してスピーカ１６に出力する。
【００２６】
無線ＬＡＮ通信回路３２は、ルータ２との間でＩＥＥＥ８０２．１１ｇなどの規格で無線通信を行い、オーディオ機器１１〜１４などのネットワーク３上の機器とデータやメッセージの送受信を行う。３Ｇ／４Ｇ通信回路３３は、携帯電話通信網を介して、音声通話およびデータ通信を行う。Ｂｌｕｅｔｏｏｔｈ通信部３４は、他のＢｌｕｅｔｏｏｔｈ対応機器と通信し、例えばオーディオ信号の送受信等を行う。
【００２７】
操作部３０は、表示部４１上に形成されたタッチパネル４１０（図１０参照）を含み、タッチパネル４１０上のタッチ操作、フリック操作を検出する。メディアインタフェース３１にはメモリカード１５が接続される。メモリカード１５は、たとえばマイクロＳＤカードである。オーディオシステム制御プログラム７０は、メモリカード１５またはＲＯＭ２２に保存される。この実施形態では、オーディオシステム制御プログラム７０はメモリカード１５に保存されるものとする。
【００２８】
なお、オーディオシステム制御プログラム７０は、３Ｇ／４Ｇまたは無ＬＡＮのデータ通信によってダウンロードされてもよく、ＲＯＭ２２またはメモリカード１５に予め記憶されていてもよい。また、メモリカード１５には、オーディオシステム１００の構成（オーディオシステムテーブル９０：図８参照）を記憶する記憶エリア７１が設定される。さらに、メモリカード１５には、オーディオシステム１００が適用される建物の各ルームの情報（ルームテーブル１１０：図９参照）を記憶する記憶エリア７２が設定されている。
【００２９】
ＲＯＭ２２には、この携帯電話機１の通話やアプリケーションプログラムを実行するための基本プログラムが記憶されている。また、ＲＯＭ２２はフラッシュメモリであり、基本プログラムのほか、ダウンロードされたアプリケーションプログラムなどを記憶することも可能である。ＲＡＭ２３には、ＣＰＵ２０がオーディオシステム制御プログラム７０を実行する際に使用されるワークエリアが設定される。
【００３０】
次に図３を参照してオーディオ機器１１の構成について説明する。オーディオ機器１１は、制御部５０、オーディオ処理部５１および操作部５９を有するとともに、２つの無線ＬＡＮ通信部（ＲＦモジュール）５６、５７および有線ＬＡＮ通信部５８を有している。操作部５９は、コネクトボタン５９Ａを有している。制御部５０は、ＣＰＵおよびメモリを含み、オーディオシステムプログラム５０Ａを記憶している。制御部５０は、オーディオシステムプログラム５０Ａにより、オーディオ処理部５１および無線ＬＡＮ通信部５６、５７、有線ＬＡＮ通信部５８の動作を制御する。これにより、オーディオ機器１１は、コンテンツを再生する再生デバイス、同期再生を制御するマスタとなる同期再生コントローラとして機能する。
【００３１】
また、制御部５０は、コネクトボタン５９Ａが押下されたとき、このオーディオ機器１１をネットワーク３に接続するための動作であるイニシャル接続動作を実行する。イニシャル接続動作の詳細は後述する。
【００３２】
無線ＬＡＮ通信部５６は、ＩＥＥＥ８０２．１１ｇなどの無線ＬＡＮ規格でルータ２などの無線アクセスポイントと無線通信を行う。また、他の無線ＬＡＮ通信部５７は、アクセスポイントとして起動され、他のオーディオ機器（たとえばオーディオ機器１２，１３）をネットワーク３に中継する。また、無線ＬＡＮ通信部５７は、このオーディオ機器１１のイニシャル接続時にイニシャル接続用アクセスポイントとして起動する。イニシャル接続用アクセスポイントの詳細は後述する。なお、２つの無線ＬＡＮ通信部５６、５７は、１つのハードウェアを時分割で動作させて実現してもよい。有線ＬＡＮ通信部５８は、ケーブルコネクタを有し、ＩＥＥＥ８０２．３などの通信規格でルータ２と通信する。
【００３３】
制御部５０は、ネットワーク３を経由してコントローラ１と通信し、動作状態を送信したり、コマンドメッセージを受信したりする。また、制御部５０は、同期再生を行う際、ネットワーク３を経由して各オーディオ機器１２，１３，１４と必要なデータの送受信を行う。
【００３４】
オーディオ処理部５１は、チューナ５２、オーディオ回路５３、パワーアンプ５４を有している。チューナ５２は、ＦＭ放送またはインターネット４からオーディオ信号を受信してオーディオ回路５３に入力する。オーディオ回路５３は、入力されたオーディオ信号に対してイコライズ、音量調整などの処理を行ったのち、この処理されたオーディオ信号をパワーアンプ５４に出力する。パワーアンプ５４は入力されたオーディオ信号を増幅し、外部接続されているスピーカ５５に出力する。スピーカ５５は、入力されたオーディオ信号を音響として放音する。
【００３５】
なお、オーディオ機器１２〜１４も、オーディオ機器１１とは、再生ソースが異なるどでオーディオ処理部５１の内部構成が異なるなどの相違はあるが、基本的な構成はオーディオ機器１１と同じである。
【００３６】
次に、図４〜図７を参照してこのオーディオシステム１００におけるオーディオ機器１１〜１４のネットワーク接続処理について説明する。
【００３７】
図４は、最初の（１台目の）オーディオ機器（ここではオーディオ機器１１とする）をルータ２に接続する場合（イニシャル接続）の手順を示す図である。携帯電話機１は、オーディオシステム制御プログラム７０が起動されて、コントローラ１として機能している。ユーザの操作によって（図１０（Ａ）のセットアップボタン９１がタッチされることによって）コントローラ１がセットアップモードになる(Ｓ１)。また、これと前後してユーザによってオーディオ機器１１のコネクトボタン５９Ａが押下される（Ｓ２１）。これにより、コントローラ１は、イニシャル接続用アクセスポイント（仮アクセスポイント）の検索を開始し（Ｓ２）、オーディオ機器１１は、接続可能な無線アクセスポイントを検索する（Ｓ２２）。図４の場面は、オーディオシステム１００が未だ構築されておらず、最初の１台目としてこのオーディオ機器１１が登録される場面であるため、オーディオ機器１１は、接続可能なアクセスポイントとしてルータ２のみ発見する。オーディオ機器１１は、イニシャル状態（買ってきたばかり）であり、ルータ２に接続するためのＳＳＩＤやパスワードなどの情報（以下、ルータ情報）を持っていないため、ルータ２に接続することができない。そこで、コントローラ１からルータ情報を取得するために、イニシャル接続時のみの仮アクセスポイントであるイニシャル接続アクセスポイントをスタンドアローンで起動する（Ｓ２３）。コントローラ１は、このイニシャル接続用アクセスポイントのＳＳＩＤおよびパスワードを予め記憶している。すなわち、オーディオシステム制御プログラム７０に予めデータとして書き込まれている。したがって、コントローラ１は、Ｓ２で開始した検索でこのイニシャル接続用アクセスポイントを発見すると、ルータ２との接続を一旦解除して、オーディオ機器１１が起動したイニシャル接続用アクセスポイントに接続する（Ｓ３）。
【００３８】
以下、コントローラ１が、アクセスポイントとしてオーディオ機器１１に対してルータ２のルータ情報を送信する手順を行う。携帯電話機１にアプリケーションプログラムをインストールして実現されるコントローラ１は、携帯電話機１のシステムプログラムからルータ２のＳＳＩＤ、パスワードを取得することができない可能性が高いため、ここでは、ユーザにＳＳＩＤおよびパスワードの入力を求める（Ｓ４）。ＳＳＩＤの入力は、そのとき見えている接続先（ＳＳＩＤ）の一覧をディスプレイに表示し、ユーザにルータ２のＳＳＩＤを選択させる方式でよい。パスワード（通常はルータ２の本体に記載されている）は、ユーザに入力させる。そして、この入力されたルータ情報を仮アクセスポイントとして接続しているオーディオ機器１１に送信する（Ｓ５）。そして、オーディオ機器１１がこのルータ情報を受信する（Ｓ２４）。
【００３９】
コントローラ１は、オーディオ機器１１にルータ情報（ＳＳＩＤ，ＰＷ）を送信したのち、イニシャル接続用アクセスポイントとの接続を解消する（Ｓ６）。並行して、オーディオ機器１１は、コントローラ１からルータ情報、すなわち、ルータ２のＳＳＩＤおよびパスワードを受信すると、イニシャル接続用アクセスポイントを停止する（Ｓ２５）。
【００４０】
コントローラ１は、Ｓ３で接続を解除したルータ２に再度接続する（Ｓ７）。オーディオ機器１１も取得したルータ情報を用いてルータ２に接続する（Ｓ２６）。これにより、コントローラ１とオーディオ機器１１はルータ２（ネットワーク３）を介して相互に通信可能になる。ここでは、まずオーディオ機器１１がコントローラ１に対してルータ２に接続が完了した旨のメッセージを送信する（Ｓ２７）。また、オーディオ機器１１は、上記メッセージとともにデバイス情報を送信する。デバイス情報は、オーディオ機器１１の個体を識別する情報（たとえば、ＩＰアドレス、無線ＬＡＮ通信部５６，５７のＭＡＣアドレスなど）、配置ルームの情報などが含まれる。そうすると、コントローラ１は、オーディオ機器１１が所属するオーディオシステム１００を新たに構築し、このオーディオ機器１１をそのオーディオシステム１００の最初の１台として登録する（Ｓ８）。具体的には、オーディオシステムテーブル９０を生成し、オーディオ機器１１の情報を登録する。そして、コントローラ１は、オーディオ機器１１に対して設定したシステム情報を送信する（Ｓ９）。システム情報とは、たとえば、オーディオシステム名、オーディオ機器の数や接続形態などである。この処理ののち、コントローラ１はイニシャル接続動作を終了し（Ｓ１０）、その旨をオーディオ機器１１にも送信する。
【００４１】
オーディオ機器１１は、コントローラ１からシステム情報を受信する（Ｓ２８）。そして、自身の識別情報および接続形態（ホップ数＝ツリー状の接続形態における頂点からの段数）を用いたＳＳＩＤを生成し、無線ＬＡＮ通信部５７を起動してこのＳＳＩＤで識別されるアクセスポイントを立ち上げる（Ｓ２９）。このＳＳＩＤは、このオーディオシステム用の（オーディオシステムプログラム５０Ａを有する）オーディオ機器（たとえばオーディオ機器１２，１３）であれば、オーディオシステムのＳＳＩＤとして識別可能なものである。また、アクセスポイントのパスワードは、ＳＳＩＤを用いた特定の演算で生成可能なものである。この特定の演算は、このオーディオシステム用の（オーディオシステムプログラム５０Ａを有する）オーディオ機器（たとえばオーディオ機器１２，１３）は演算可能である。これにより、他のオーディオ機器（たとえばオーディオ機器１２，１３）が、アクセスポイント（ＳＳＩＤ）を発見したとき、そのアクセスポイントがオーディオシステムのオーディオ機器（たとえばオーディオ機器１１）であり、かつそのオーディオ機器１１がオーディオシステムのどの位置に接続されているものであるかをＳＳＩＤから割り出すことができる。さらに、オーディオ機器１２、１３は、そのＳＳＩＤからパスワードを生成することができるので、ユーザから情報を入力してもらわなくても自身でアクセスポイントに接続することができる。
【００４２】
なお、このアクセスポイントは、通常動作時に他の機器からアクセスを受け付けないようにステルスモードで動作する。また、後述するが、他のオーディオ機器１２，１３のイニシャル接続時には、ステルスモードを解除してビーコンを送信し、イニシャル接続するオーディオ機器１２、１３からのアクセスを受け付ける。
【００４３】
図５は、既にオーディオシステム１００が構築されている状態（少なくとも１台のオーディオ機器がルータ２を介してコントローラ１と通信し、コントローラ１による制御を受ける状態）になっている場合に、２台目のオーディオ機器（たとえばオーディオ機器１２）をルータ２に接続する場合（イニシャル接続）の通信手順を示す図である。以下、オーディオ機器１１が所属するオーディオシステム１００が構築されており、このオーディオシステム１００にオーディオ機器１２が追加登録される場合の通信手順について説明する。
【００４４】
ユーザの操作によってコントローラ１がセットアップモードになると(Ｓ３１)、まず、既に登録されているオーディオ機器（オーディオ機器１１）にステルスモードの解除を指示する（Ｓ３２）。これによりオーディオ機器１１は、アクセスポイントのステルスモードを解除し、自己の存在を知らせるビーコンを送信して他の機器からのアクセスを可能にする（Ｓ４１）。次に、コントローラ１は、イニシャル接続用アクセスポイント（仮アクセスポイント）の検索を開始する（Ｓ３３）。ただし、以下に説明するように、オーディオ機器１２が仮アクセスポイントを起動しないため、Ｓ３３の検索状態を継続して（ルータ２との無線ＬＡＮ接続を継続して）、オーディオ機器１２からのメッセージを受信するまで待機している。
【００４５】
また、これと前後してユーザによってオーディオ機器１２のコネクトボタン５９Ａが押下される（Ｓ５１）。これにより、オーディオ機器１１は、接続可能な無線アクセスポイントを検索する（Ｓ５２）。オーディオ機器１２は、Ｓ５２の検索で接続可能なアクセスポイントを発見する。この図５の例の場合、ルータ２とステルスモードを解除されたオーディオ機器１１（アクセスポイント１１）を発見する。上述したように、アクセスポイント１１は、オーディオ機器１２から見てオーディオシステム１００の機器であることを識別可能であり、かつ、そのＳＳＩＤからパスワードを生成して接続可能なものである。オーディオ機器１２は、一旦アクセスポイント１１（オーディオ機器１１）に接続する（Ｓ５３）。そして、オーディオ機器１１からこのオーディオシステム１００のシステム情報を取得する（Ｓ４２、Ｓ５４）。システム情報とは、システム名、システムを構成するオーディオ機器とその接続形態、および、ルータ２のＳＳＩＤ、パスワードなどのルータ情報である。なお、オーディオ機器１１〜１４は、同じオーディオシステム１００の機器にはルータ情報の送信を許可するようにプログラムされている。オーディオ機器１２は、発見したアクセスポイントおよびオーディオ機器１１から取得したシステム情報に基づき、最終的な接続先を決定する（Ｓ５５）。接続先の決定は、アクセスポイントの接続形態（ホップ数）、アクセスポイントの電波強度などに基づいて行われる。
【００４６】
この図ではルータ２が接続先として決定された場合の手順を示している。オーディオ機器１２は、ルータ２を接続先として決定すると（Ｓ５５）、オーディオ機器１１に対する接続を解除し（Ｓ５６）、取得したルータ情報を用いてルータ２に接続する（Ｓ５７）。コントローラ１はＳ３３で仮アクセスポイントを発見せずルータ２に接続したままであるため、これにより、コントローラ１とオーディオ機器１２はルータ２（ネットワーク３）を介して相互に通信可能になる。ここでは、まずオーディオ機器１２がコントローラ１に対してルータ２に接続が完了した旨のメッセージを送信する（Ｓ５８）。また、オーディオ機器１１は、上記メッセージとともにデバイス情報を送信する。
【００４７】
そうすると、コントローラ１は、オーディオシステム１００（オーディオシステムテーブル９０）にこのオーディオ機器１２を登録して更新し（Ｓ３４）、オーディオ機器１２に対してシステム情報を送信する（Ｓ３５）。この処理ののち、コントローラ１はセットアップモードを終了する（Ｓ３６）。なお、更新されたシステム情報およびセットアップモード終了メッセージは、オーディオシステムの全てのオーディオ機器に連絡される。セットアップモードの終了に伴い、オーディオ機器１１、１２は、ステルスモードでアクセスポイントを起動する（Ｓ４３、Ｓ６０）。このときオーディオ機器１１は再びステルスモードに戻る。
【００４８】
なお、Ｓ５５でアクセスポイント１１（オーディオ機器１１）が接続先として決定された場合には、オーディオ機器１２は、処理をＳ５５からＳ５８へジャンプさせればよい。Ｓ５８の連絡において、自身がアクセスポイント１１を経由してネットワーク３に接続された旨をコントローラ１に伝達すればよい。
【００４９】
以上は、１台目および２台目以後のイニシャル接続時におけるコントローラ１、オーディオ機器１１、１２の相互の通信手順について説明した。以下、図６、図７のフローチャートを参照してコントローラ１およびオーディオ機器１１、１２の制御部の動作について説明する。
【００５０】
図６は、コントローラ１の制御部２０のセットアップ処理を示すフローチャートである。ユーザによってセットアップボタン９１（図１０（Ａ）参照）が押されると（Ｓ１００）、この処理が開始される。まず、オーディオシステム１００が既に構築されているかをオーディオシステムテーブル９０を参照して判断する（Ｓ１０１）。オーディオシステム１００が既に構築されている場合には（Ｓ１０１でＹＥＳ）、所属するオーディオ機器に対してステルスモードを解除する旨のコマンドメッセージを送信する（Ｓ１０２）。オーディオシステムが未構築の場合にはＳ１０１の動作をスキップする。
【００５１】
次に、イニシャル接続用のアクセスポイント（仮アクセスポイント）が存在するかを検索するとともに（Ｓ１０３）、ネットワーク３経由で新たなオーディオ機器からのアクセスがあるかを待機する（Ｓ１０４）。
【００５２】
仮アクセスポイントが発見された場合には（Ｓ１０３でＹＥＳ）、ルータ２との無線ＬＡＮ接続を解除して仮アクセスポイントに接続する（Ｓ１０５）。そして、無線ＬＡＮ通信回路３２で見えているＳＳＩＤのなかからルータ２のＳＳＩＤを選択する画面、および、ルータ２のパスワードを入力する画面を表示部４１に表示し、ユーザにＳＳＩＤを選択させるとともに、そのパスワードを入力させる（Ｓ１０６）。入力されたＳＳＩＤおよびパスワード（ルータ情報）を仮アクセスポイントを立ち上げているオーディオ機器に対して送信する（Ｓ１０７）。その後、この仮アクセスポイントとの接続を解消し、ルータ２に再接続する（Ｓ１０８）。こののち、オーディオ機器からルータ経由でメッセージを受信し（Ｓ１０９）、ネットワーク３による通信を開始する。
【００５３】
さらに、ネットワーク３を経由した通信でオーディオ機器からデバイス情報を受信する（Ｓ１１０）。既にオーディオシステムが構築されているかを判断する（Ｓ１１１）、オーディオシステムが構築されていない場合には（Ｓ１１１でＮＯ）、このデバイス情報に基づいてオーディオシステムを構築し（Ｓ１１２）、このオーディオ機器を１台目の機器として登録する（Ｓ１１３）。具体的には、オーディシステムテーブル９０を生成し、オーディオ機器の情報を登録する。
【００５４】
既にオーディオシステム１００が構築されている場合には（Ｓ１１１でＹＥＳ）、そのオーディオシステム１００（オーディオシステムテーブル９０）に今回受信したデバイス情報を登録する（Ｓ１１３）。そして、作成または更新されたシステム情報を所属する全てのオーディオ機器に対して送信する（Ｓ１１４）。この処理ののち、イニシャル接続処理の終了およびアクセスポイントをステルスモードで起動する旨のメッセージを送信して（Ｓ１１５）、セットアップモード処理を終了する。一方、仮アクセスポイントを発見しない状態で、ネットワーク３経由で新たなオーディオ機器からのアクセスがあった場合には（Ｓ１０４でＹＥＳ）、Ｓ１１０の処理に進む。
【００５５】
図７は、オーディオ機器１１〜１４の制御部５０の処理を示すフローチャートである。コネクトボタンが押下されるとこの処理を開始する（Ｓ１２０）。まず、自身が有線ＬＡＮでネットワーク３に接続されているか否かを判断する（Ｓ１２１）。有線ＬＡＮで接続されている場合には（Ｓ１２１でＹＥＳ）、有線接続処理へ進む。
【００５６】
有線ＬＡＮで接続されていない場合には（Ｓ１２１でＮＯ）、無線ＬＡＮ通信部５６を起動して無線ＬＡＮの接続先（アクセスポイント）を検索する（Ｓ１２２）。発見された接続先がルータ２のみであった場合には（Ｓ１２３でＹＥＳ）、Ｓ１２４に進む。ルータ２以外にオーディオシステムのアクセスポイントが発見された場合には（Ｓ１２３でＮＯ）、Ｓ１３５に進む。
【００５７】
Ｓ１２４では、無線ＬＡＮ通信部５７を用いてイニシャル接続用のアクセスポイント（仮アクセスポイント）を起動する（Ｓ１２４）。この仮アクセスポイントにアクセスしてきたコントローラ１と接続し（Ｓ１２５）、コントローラ１からルータ情報を受信する（Ｓ１２６）。こののち、仮アクセスポイントを停止し、取得したルータ情報を用いてルータ２に接続する（Ｓ１２７）。ルータ２を経由してコントローラ１と通信を開始するとともに、コントローラ１に対してルータ２に接続が完了した旨のメッセージを送信する（Ｓ１２８）。さらに、コントローラ１に対して自身のデバイス情報を送信し（Ｓ１２９）、コントローラ１からシステム情報を受信する（Ｓ１３０）。こののち、コントローラ１からの指示に基づいてステルスモードでアクセスポイントを起動する（Ｓ１３１）。
【００５８】
ルータ２以外のアクセスポイントを発見して処理がＳ１３５に進んだ場合、まず最寄りのアクセスポイントに接続する（Ｓ１３５）。最寄りのアクセスポイントは最も電波強度の高いアクセスポイントでよい。このアクセスポイント（オーディオ機器）から、システム情報（ルータ情報を含む）を受信する（Ｓ１３６）。受信したシステム情報に基づき接続先を決定する（Ｓ１３７）。接続先として決定したアクセスポイントが現在接続しているアクセスポイントと異なる場合は（Ｓ１３８でＹＥＳ）、現在接続しているアクセスポイントを切断し、接続先として決定したアクセスポイントに接続する（Ｓ１３９）。こののちＳ１２８に進む。接続先として決定したアクセスポイントが現在接続しているアクセスポイントと一致している場合は、そのままＳ１２８に進む。
【００５９】
なお、図５および図７に示すオーディオシステムの動作においては、新たに接続されるオーディオ機器（オーディオ機器１２）が、まず最寄りのアクセスポイント（オーディオ機器１１）に接続してシステム情報を取得し、このシステム情報に基づいて接続先を決定している。新たに接続されるオーディオ機器が、最寄りのアクセスポイントに一旦接続することなく、無線ＬＡＮ通信部５６で発見したルータ２を含むアクセスポイントの中から接続先を決定するようにしてもよい。
【００６０】
次に、図８を参照してオーディオシステムテーブル９０について説明する。図８は、オーディオシステムテーブル９０の一例を示す図である。オーディオシステムテーブル（以下、システムテーブルという）９０は、上述したように、オーディオ機器１１〜１４のネットワーク接続時にコントローラ１によって生成・更新され、上述したようにメモリカード１５の記憶エリア７１に記憶される。
【００６１】
システムテーブル９０には、オーディオシステム１００を構成するオーディオ機器１１〜１４の機器情報（デバイス情報）が登録されている。具体的には、オーディオ機器１１〜１４のＩＰアドレスに対応付けて、ＭＡＣアドレス１、ＭＡＣアドレス２、ＳＳＩＤ、機器名称、グループ、配置ルーム、接続形態、サービスなどが登録されている。ＭＡＣアドレス１、ＭＡＣアドレス２は、無線ＬＡＮ通信部５６，５７のＭＡＣアドレスである。ＳＳＩＤは、他のオーディオ機器と通信を行う無線ＬＡＮ通信部５７のＳＳＩＤである。機器名称は、オーディオ機器の名称を表すテキストデータである。
【００６２】
グループは、オーディオ機器が所属するグループの情報であり、上述したコンテンツの同期再生を行うグル―プを示す。なお、この実施形態では、１つのグループのみが設定される。また、１グループに所属するオーディオ機器は、同期再生マスタと、同期再生スレーブの何れかに設定される。同期再生マスタは、グループ全体へのオーディオソースの供給および同期再生の制御を担当するとともに、また自身も同期再生の１機器として機能する。同期再生スレーブは、同期再生マスタの指示にしたがってコンテンツを再生する。例えば、同図に示す１Ａは、同期再生マスタとしてグループに所属するオーディオ再生機器を示す。また、１Ｂは、同期再生スレーブとしてグループに所属するオーディオ再生機器を示す。１Ａ，１Ｂ以外は、グループに所属していないオーディオ再生機器を示す。グループは、コントローラ１を操作して設定することができる。詳細は後述する。
【００６３】
配置ルームは、オーディオ機器が配置されているルームを特定する情報である。具体的には、配置されているルームを特定するルームＩＤが登録されている。配置ルーム（ルームＩＤ）は、ネットワーク接続前に各オーディオ機器１１〜１４に予め設定しておけばよい。接続形態は、上述したようにホップ数（ツリー状の接続形態における頂点からの段数）を示す。サービスは、ＦＭ放送、ＣＤ（ＣＤプレーヤ）等の各機器が再生可能なコンテンツのソース情報を示す。
【００６４】
次に、図９を参照してルームテーブル１１０について説明する。図９は、ルームテーブル１１０の一例を示す図である。ルームテーブル１１０は、オーディオ機器を配置するルームに関する情報が登録されている。具体的には、ルームＩＤに対応付けて、ルーム名称、背景画像が登録されている。ルーム名称は、オフィス（Office）などのルームの名称のテキストデータである。背景画像は、後述する携帯電話機１での操作画面のルーム選択ボタン（エリア選択画像）の背景画像として用いられる画像である。たとえば、画像データのファイル名が登録されている。また、ルームテーブル１１０は、メモリカード１５の記憶エリア７２に記憶されている。なお、ルーム名称は、ユーザが任意に設定可能である。また、背景画像も、ユーザが任意に設定可能である。これら設定手順については後述する。
【００６５】
次に、図１０，１１，１２を参照してオーディオシステム１００における携帯電話機１の操作画面について説明する。図１０（Ａ）〜図１０（Ｄ）は、携帯電話機１の操作画面の一例を示す図である。図１１（Ａ），図１１（Ｂ）は、携帯電話機１の操作画面におけるグループ設定画面の一例を示す図である。図１２（Ａ）および図１２（Ｂ）は、携帯電話機１の操作画面におけるルーム選択画面及びソース選択画面の一例を示す図である。
【００６６】
上述したように、コントローラ１は、携帯電話機１とオーディオシステム制御プログラム７０との協働により実現される。コントローラ１は、表示部４１に操作画面を表示させる。最初に、図１０（Ａ）の初期メニュー画面の画像が表示される。ユーザが、タッチパネル４１０（操作部４１）をタッチ操作してセットアップボタン９１を選択すると、上述したセットアップモードが開始される。また、ユーザが、同様に接続機器動作制御９２を選択すると、既存のオーディオシステム１００を構成するオーディオ機器１１〜１４への動作制御選択（例えば、電源のオンオフ、再生曲ファイルの選択など）が行われる。なお、この実施形態では、ルーム単位で制御が行われる。また、図１０を参照した操作画面の説明では、オーディオ機器１４はコントローラ１と通信できない状態（接続操作が行われていない状態）にあるとし、またグループ設定が行われていないものとして説明する。
【００６７】
接続機器動作制御９２の画面が選択されると、図１０（Ｂ）に示すようなルーム選択画面が表示される。ルーム選択画面では、通信可能なオーディオ機器が配置されているルームに対応するルーム選択ボタン（エリア選択画像）が表示されている。図１０（Ｂ）では、３つのルーム選択ボタン９３〜９５が表示されている。ルーム選択ボタン９３は、オフィスを示す画像であり、オーディオ機器１１が配置されているルームを示す。ルーム選択ボタン９４は、ダイニングルームを示す画像であり、オーディオ機器１２が配置されているルームを示す。ルーム選択ボタン９５は、ベッドルームを示す画像であり、オーディオ機器１３が配置されているルームを示す。各ルーム選択ボタン９３〜９５は、コンテンツの再生などを行うルーム（オーディオ機器）を選択するためのボタンである。なお、リビングルームに配置されたオーディオ機器１４は、通信接続できない状態のためリビングルームを示すルーム選択ボタンは表示されていない。また、ルーム選択ボタン９３〜９５には、上述した背景画像が表示されている。
【００６８】
また、各ルーム選択ボタン９３，９４，９５は、対応するオーディオ機器１１〜１３の電源のＯＮ／ＯＦＦ状態に応じて明度が変化する。電源がＯＦＦの状態では、ルーム選択ボタンの画像全体が暗転した状態で表示される。また、電源がＯＮの状態では、ルーム選択ボタンの画像全体が明転した状態で表示される。図１０（Ｂ）に示すルーム選択ボタン９３〜９５は全てが明転した状態であり、対応するオーディオ機器１１〜１３の電源がＯＮの状態を示している。
【００６９】
また、各ルーム選択ボタン９３〜９５には、対応するオーディオ機器１１〜１３の電源のＯＮ／ＯＦＦの入力を受け付ける電源ボタン９６が含まれている。たとえば、ルーム選択ボタン９３の電源ボタン９６をタッチ操作すると、オーディオ機器１１の電源のＯＮ／ＯＦＦが切り換えられる。
【００７０】
ルーム選択ボタン９３〜９５は、電源ＯＮ状態（明表示）の場合にタッチ操作で選択可能である。ルーム選択ボタン９３〜９５のいずれかを選択（中央部分をタッチ操作）すると、選択されたルームにおけるソース選択画面が表示される。たとえば、ルーム選択ボタン９３を選択した場合、図１０（Ｃ）に示すようなオフィスのソース選択画面が表示される。ソース選択画面では、選択されたルームに対応するオーディオ機器の外部機器（光ディスク再生装置やＵＳＢメモリ）接続状態などをチェックして、再生可能（サービス可能）なソースを示すアイコンボタン（ソース選択画像）９７〜９９が表示される。
【００７１】
また、ソース選択画面には、背景としてルーム選択ボタンの背景画像と同じ背景画像が表示されている。図１０（Ｃ）は、オフィスのソース選択画面であるので、ルーム選択ボタン９３と同一の背景画像が表示され、この背景画像にアイコンボタン９７〜９９が重畳表示されている。
【００７２】
アイコンボタン９７は、ＣＤを示す画像である。アイコンボタン９８は、配信サーバ５によるネット配信を示す画像である。アイコンボタン９９は、ＦＭを示す画像である。各アイコンボタン９７〜９９を選択することで、選択されたソースの再生が指示される。
【００７３】
たとえば、図１０（Ｃ）のアイコンボタン９７を選択すると、図１０（Ｄ）に示すようなＣＤの再生画面が表示される。この再生画面で表示される各アイコンをタッチ操作することでＣＤの楽曲（楽曲データ）の再生・音量制御などを実行することができる。
【００７４】
次に、同期再生のグループ設定について説明する。グループ設定では、同期再生のマスタとなるオーディオ機器（同期再生マスタ）と、その他のオーディオ機器（同期再生スレーブ）とを選択する。この実施形態では、ルーム単位で上記のオーディオ機器の選択が行われる。グループ設定は、図１０（Ｂ）に示すリンク（Link）ボタン１２０を選択することで開始される。
【００７５】
リンクボタン１２０が選択されると、図１１（Ａ）に示すような同期再生マスタ選択画面が表示される。同期再生マスタ選択画面では、同期再生マスタのルームを選択するマスタルーム選択ボタン１２１〜１２３が表示される。たとえば、マスタルーム選択ボタン１２１を選択すると、オフィスがマスタルームとなり、オーディオ機器１１が同期再生マスタとなる。
【００７６】
その後、図１１（Ｂ）に示すような同期再生スレーブ選択画面が表示される。同期再生スレーブ選択画面では、同期再生スレーブを選択するスレーブルーム選択ボタン１２５，１２６が表示される。スレーブルーム選択ボタン１２５，１２６をタッチ操作することでチェックボックスにチェックアイコンが表示され、選択された状態となる。たとえば、スレーブルーム選択ボタン１２５，１２６すると、ダイニングルームおよびベッドルームがスレーブルームとなり、オーディオ機器１２，１３が同期再生スレーブとなる。そして、決定（ＯＫ）ボタン１２６を選択することで、グループに所属するオーディオ機器が確定（設定完了）する。そして、このグループの情報が、オーディオシステムテーブル９０に登録（更新）される。
【００７７】
グループ設定の完了後、図１１（Ｂ）に示すグループ設定画面からルーム選択画面に表示が戻る。図１２（Ａ）に示すように、グループ設定が存在する場合のルーム選択画面は、グループの情報が表示態様に反映される。図１２（Ａ）は、上述したオフィスがマスタルームであり、ダイニングテーブルおよびベッドルームがスレーブルームとしてグループに属した状態におけるルーム選択画面の一例である。図１０（Ａ）に示すルーム選択画面と比較して、マスタルームであるオフィスのルーム選択ボタン９３′に、スレーブルームのルーム名称（テキストデータ）を表示し、またルームテーブル１１０で規定されている背景画像にぼかし（加工）を加えて表示する。したがって、ユーザが、グループを形成しているルーム選択ボタンを通常のルーム選択ボタンと容易に区別が可能となり、マスタルームを特定し易い（同期再生を選択し易い）。また、ルーム選択画面図１０（Ｂ）の全体の雰囲気は保たれたままなので、ユーザーが別の操作画面と勘違いすることも無い。
【００７８】
また、グループ設定が存在する場合、スレーブルームのルーム選択ボタン９４，９５は、選択できない。（ただし、電源ボタンは個別に制御可能であり、グループ設定がなされていても、選択ボタン９４，９５の電源ボタン９６は個別に操作可能であり、また、グループマスターの選択ボタン９３の電源ボタン９６を操作すると、グループ全体の電源オンオフを一括して制御可能である。）グループにおける同期再生は、マスタルームのオーディオ機器１１のソースとなるコンテンツのみを同期再生するからである。図１２（Ａ）に示すルーム選択画面において、オフィスのルーム選択ボタン９３′を選択すると、図１２（Ｂ）に示すようなソース選択画面が表示される。また、ルーム選択画面においても、グループの情報が反映される。図１０（Ｃ）と比較して、背景画像にぼかしが加えられている。したがって、同期再生のソース選択画面であることを認識し易い。
【００７９】
そして、図１２（Ｂ）に示すソース選択画面で、例えばＣＤを示すアイコンボタン９７を選択すると、図１０（Ｄ）に示す画面と同様のＣＤの再生画面が表示され、同期再生を実行することができる。なお、同期再生の制御は、特開２０１５−１０００８５号公報に記載されているような一般的な技術を適用すればよく、詳細な説明は省略する。
【００８０】
次に、図１３を参照してオーディオシステム１００におけるコントローラ１のルーム選択画面のルーム名称および背景画像の設定について説明する。図１３は、コントローラ１の操作画面におけるルーム名称および背景画像の設定画面の一例を示す図である。ルーム名称の設定を行うことで、各ルームの名称を初期設定の名称から変更することができる。また、背景画像の設定を行うことで、ルーム選択ボタン等の背景画像を初期設定から変更することができる。
【００８１】
最初に、ルーム名称の設定について説明する。ユーザが、例えば、ルーム選択画面において、ルーム設定ボタン（不図示）を選択すると、図１３に示す設定画面が表示部４１に表示される。ユーザは、「ルーム」の選択ウィンドウ１３１のプルダウンボタン１３２を選択すると、図１３に示すようなルームの名称一覧がプルダウン表示される。一覧の中からユーザが１のルームを選択する。そして、名称変更ボタン１２２を選択すると、キーボード画像（不図示）が表示されてタッチ操作により名称入力が可能となる。その後、決定（ＯＫ）ボタン（不図示）を選択することで入力された名称にルーム名称の変更（設定）が確定する。そして、ルームテーブル１１０のルーム名称の情報が更新される。
【００８２】
次に、背景画像の設定について説明する。上述したプルダウン表示された各ルームの名称一覧の中からユーザが１のルームを選択した後、「背景画像」の選択ウィンドウ１３４のプルダウンボタン１３を選択すると、図１３に示すように選択可能な画像（候補画像）のファイル名称一覧がプルダウン表示される。そして、一覧の中から１の画像ファイルを選択すると、表示ウィンドウ１３６内に選択された１の画像ファイルの画像が表示される。その後、ユーザが決定（ＯＫ）ボタン（不図示）を選択することで、選択されたルームの背景画像が、選択された候補画像に変更（設定）が確定する。そして、ルームテーブル１１０の背景画像の情報が更新される。
【００８３】
なお、背景画像（候補画像）としては、たとえば、コントローラ１の記憶部（メモリカード１５など）に記憶されている画像データ全てを対象としてもよい。たとえば、予め用意されている背景画像以外に、ユーザが携帯電話１に内蔵のカメラ（不図示）で撮影した画像を対象とすることができる。したがって、オーディオ機器を配置した実際の部屋の画像を背景画像として設定することもできる。
【００８４】
次に、図１４を参照してオーディオシステム１００におけるコントローラ１のルーム選択画面からの再生画面への移行処理について説明する。図１４は、コントローラ１の制御部２０の画面移行処理を示すフローチャートである。ユーザによって接続機器動作制御９２が押されると（Ｓ１５０）、この処理が開始される。なお、コントローラ１と通信可能な機器を、オーディオ機器１１〜１３として以下の説明を行う。
【００８５】
まず、通信開始した各オーディオ機器１１〜１３から動作状況を受信する（Ｓ１５１）。具体的には、オーディオ機器１１〜１３の電源のＯＮ／ＯＦＦの状態、コンテンツの再生状況などを取得する。次に、動作状況およびシステムテーブル９０、ルームテーブル１１０に基づいて、図１０（Ｂ）などに示すようなルーム選択画面を表示部４１に表示させる（Ｓ１５２）。そして、ルーム選択画面上でいずれかのボタンが選択されるまで待機する（Ｓ１５３）。いずれかのボタンが選択されると（Ｓ１５３でＹＥＳ）、選択されたボタンに応じた処理を行う（Ｓ１５４）。リンクボタン１２０が選択された場合、後述するグループ設定処理を行う。また、ルーム選択ボタン９３〜９５のいずれかが選択された場合、選択されたルーム選択ボタンのルームがスレーブルームであるかを判断する（Ｓ１５５）。具体的には、システムテーブル９０のグループの情報を参照して判断する。スレーブルームである場合（Ｓ１５５でＹＥＳ）、Ｓ１５２の処理に戻る。
【００８６】
また、スレーブルームでない場合（ステップＳ１５５でＮＯ）、図１０（Ｃ）などに示すような、選択されたルーム選択ボタンのルームのソース選択画面を表示部４１に表示させる（Ｓ１５６）。具体的には、選択されたルーム選択ボタンに対応するオーディオ機器のシステムテーブル９０のサービスの情報、ルームテーブル１１０などに基づいてソース選択画面を表示させる。そして、図１０（Ｃ）に示すようなソースのアイコンボタンが選択されるまで待機する（Ｓ１５７）。アイコンボタンが選択されると（Ｓ１５７でＹＥＳ）、図１０（Ｄ）に示すような、選択されたアイコンボタン（ソース）に対応する再生画面が表示され、再生画面上での処理が進行する。
【００８７】
また、Ｓ１５４で電源ボタン９６が選択された場合、選択された電源ボタン９６に対応するルームがスレーブルーム、マスタルームであるかを判断する（Ｓ１５９）。マスタルームの電源ボタン９６であった場合（Ｓ１５９でＹＥＳ）、同一グループに属するルームの全てのオーディオ機器に現在の電源の状態に応じたコマンドメッセージを送信し（Ｓ１６０）、Ｓ１５１の処理に戻る。たとえば、図１２（Ａ）に示すオフィスの電源ボタン９６が選択された場合、オフィス、ダイニングルーム、ベッドルームのオーディオ機器１１〜１３に同一のコマンドメッセージが送信される。コマンドメッセージの内容は、マスタルームのオーディオ機器の現在の電源の状態を基準として決定すればよい。たとえば、オフィスのオーディオ機器１１が電源ＯＮの状態であり、またダイニングルームのオーディオ機器１２が電源ＯＦＦの状態であったとしても、電源ＯＦＦのコマンドが含まれるコマンドメッセージが同一グループのオーディオ機器１１〜１３に送信される。また、スレーブルームまたはグループに属さないルームであった場合（１５９でＮＯ）、選択された電源ボタン９６に対応するルームのオーディオ機器にのみ、現在の電源の状態に応じたコマンドメッセージを送信する（Ｓ１６１）。たとえば、現在の状態が電源ＯＦＦ状態であれば、電源ＯＮのコマンドが含まれるコマンドメッセージが送信される。その後、Ｓ１５１の処理に戻る。
【００８８】
次に、図１５を参照してこのオーディオシステム１００におけるコントローラ１のグループ設定処理について説明する。図１５は、コントローラ１の制御部２０のグループ設定処理を示すフローチャートである。ユーザによってリンクボタン１２０が押されると（Ｓ１７０）、この処理が開始される。
【００８９】
まず、図１１（Ａ）に示すような同期再生マスタ選択画面を表示部４１に表示させ（Ｓ１７１）、マスタルームが選択されるまで待機する（Ｓ１７２）。マスタルームが選択されると（Ｓ１７２でＹＥＳ）、図１１（Ｂ）に示すような同期再生スレーブ選択画面を表示部４１に表示させる（Ｓ１７３）。そして、スレーブルームが選択される（Ｓ１７４でＹＥＳ）毎に同期再生スレーブ選択画面の表示を更新する（Ｓ１７５）。すなわち、選択されたルームのチェックボックスにチェックを追加するように画面を更新する。そして、選択が確定するまでＳ１７４，Ｓ１７５の処理を繰り返し実行する（Ｓ１７６）。選択が確定すると（Ｓ１７６でＹＥＳ）、選択結果に基づいてシステムテーブル９０を更新する（Ｓ１７７）。その後、更新したシステムテーブル９０を通信可能な全オーディオ機器１１〜１３に送信する（Ｓ１７８）。これにより、各オーディオ機器１１〜１３は、グループに属しているのか、同期再生マスタとなるのかなどの情報を取得して、同期再生を行うことができる。その後、Ｓ１５２の処理に移行してルーム選択画面が表示される。その際、図１２（Ａ）に示すように、Ｓ１７７で更新されたグループの情報がルーム選択画面に反映される。
【００９０】
次に、図１６を参照してこのオーディオシステム１００におけるコントローラ１のルーム設定処理について説明する。図１６は、コントローラ１の制御部２０のルーム設定処理を示すフローチャートである。ユーザによってルーム設定ボタンが押されると（Ｓ１８０）、この処理が開始される。
【００９１】
まず、図１３に示すような設定画面を表示部４１に表示させ（Ｓ１８１）、ルームの選択ウィンドウ１３１のプルダウンボタン１３２が選択されるまで待機する（Ｓ１８２）。プルダウンボタン１３１が選択されると（Ｓ１８２でＹＥＳ）、ルームの名称一覧を表示部４１にプルダウン表示させ（Ｓ１８３）、１のルームが選択されるまで待機する（Ｓ１８４）。１のルームが選択されると（Ｓ１８４でＹＥＳ）、名称変更ボタン１３３が押されるか、背景画像のウィンドウ１３４のプルダウンボタン１３５が押されるまで待機する（Ｓ１８５，Ｓ１８６）。
【００９２】
名称変更ボタン１３３が押されると（Ｓ１８５でＹＥＳ）、キーボード画像を表示部４１に重畳表示させ（Ｓ１８７）、名称の入力が行われてＯＫボタンが押されて入力確定するまで待機する（Ｓ１８８）。入力確定すると（Ｓ１８８でＹＥＳ）、確定した入力内容に基づいてルームテーブル１１０を更新する（Ｓ１８９）。
【００９３】
また、背景画像の選択ウィンドウ１３４のプルダウンボタン１３５が押されると（Ｓ１８６でＹＥＳ）、背景画像の候補画像のファイル名称を表示部４１にプルダウン表示させ（Ｓ１９０）、１のファイルが選択されるまで待機する（Ｓ１９１）。１のファイルが選択されると（Ｓ１９１でＹＥＳ）、表示ウィンドウ１３６に選択されたファイルの画像を表示させる（Ｓ１９２）。そして、ＯＫボタンが押されて入力確定すると（Ｓ１８３でＹＥＳ）、ルームテーブル１１０を更新する（Ｓ１７９）。また、ＯＫボタンが押されない場合（Ｓ１８３でＮＯ）、Ｓ１８５の処理に戻る。
【００９４】
以上のように、携帯電話機をコントローラとして機能させることで、オーディオ機器が配置されたルーム（エリア）単位で容易にオーディオ機器を選択することができる。また、ルーム選択ボタン（エリア選択画像）は、背景画像にぼかしが加えられるなど、グループの情報に基づいて表示態様が変更されるので、いずれのルームがグループに設定されているかを容易に特定することができる。
【００９５】
なお、上述の実施形態では、１のグループのみが設定可能であったが、複数設定するようにしてもよい。また、上述の実施形態では、エリアとしてルーム単位での選択が可能であったが、ルームだけに限定されるものではない。たとえば、ビルの階床をエリアとしてもよく、また、２ルームを１つのエリアとしてもよい。
【００９６】
さらに、上述の実施形態では、オーディオ機器のネットワーク接続時にオーディオシステムテーブルを生成しているが、特にこれに限定されるものではない。ユーザが必要な情報を直接にコントローラ１などに入力してもよい。また、たとえば、ネットワーク接続後、ネットワーク３内の機器に対してブロードキャストを行って必要な情報を取得するようにしてもよい。
【００９７】
さらに、上述の実施形態では、同期再生マスタとして機能するオーディオ機器のみを用いた構成について説明したが、同期再生マスタとして機能するオーディオ機器が少なくとも１台がオーディオシステムに含まれていれば、同機能を備えていないオーディオ機器が含まれていてもよい。
【符号の説明】
【００９８】
１  携帯電話機（コントローラ）
３  ネットワーク
１１〜１４  オーディオ機器
１５  メモリカード
２０  制御部
４１  表示部
７０  オーディオシステム制御プログラム
９０  オーディオシステムテーブル
１００  オーディオシステム
１１０  ルームテーブル
【図１】
0006536201.tif 000002
【図２】
0006536201.tif 000003
【図３】
0006536201.tif 000004
【図４】
0006536201.tif 000005
【図５】
0006536201.tif 000006
【図６】
0006536201.tif 000007
【図７】
0006536201.tif 000008
【図８】
0006536201.tif 000009
【図９】
0006536201.tif 000010
【図１０】
0006536201.tif 000011
【図１１】
0006536201.tif 000012
【図１２】
0006536201.tif 000013
【図１３】
0006536201.tif 000014
【図１４】
0006536201.tif 000015
【図１５】
0006536201.tif 000016
【図１６】
0006536201.tif 000017